(57)【要約】【課題】トレイを搬送することによるローラの変形を防止する手段を提供する。【解決手段】複合機１０は、記録用紙が搬送される搬送路６５と、搬送路６５を通過可能な平板形状のメディアトレイ７１と、排出ローラ６２及び拍車６３と、排出ローラ６２と同じ回転軸６１に設けられた排出ローラ６２より小径のトレイ用ローラ６６，６７と、記録部２４と、を具備する。メディアトレイ７１は、下面７７におけるトレイ用ローラ６６，６７に対応する位置に、排出ローラ６２の半径Ｒ１とトレイ用ローラ６６，６７の半径Ｒ２との差より大きい寸法Ｄ１だけ下面７７から突出する凸部７８，７９が、長手方向１０６に沿って延出されたものである。【選択図】図５
2012066406.tif 000002
【特許請求の範囲】
【請求項１】
シート状の第１被記録媒体が搬送される搬送路と、
第１面側において第２被記録媒体が載置された状態で上記搬送路を通過可能な平板形状のトレイと、
上記搬送路において上記トレイにおける第１面と反対側の第２面側に配置されており、駆動源から駆動伝達されて回転する第１ローラと、
上記搬送路において上記トレイにおける第１面側に配置されており、上記第１ローラと接離する方向へ移動可能であって、上記第１ローラに接触する向きに付勢された第２ローラと、
上記第１ローラと同軸に配置されており、上記第１ローラより小径の第３ローラと、
上記搬送路において、上記第１被記録媒体又は上記トレイに載置された第２被記録媒体に画像記録を行う記録部と、を具備してなり、
上記トレイは、第２面における上記第３ローラに対応する位置に、上記第１ローラの半径と上記第３ローラの半径との差より大きく第２面から突出する凸部が、当該トレイの搬送方向に沿って延出されたものである画像記録装置。
【請求項２】
上記搬送路において上記トレイにおける第１面側に配置されており、駆動源から駆動伝達されて回転する第４ローラと、
上記搬送路において上記トレイにおける第２面側に配置されており、上記第４ローラと接離する方向へ移動可能であって、上記第４ローラに接触する向きに付勢された第５ローラと、を更に有し、
上記第５ローラは、軸線方向に複数が離間されて並列されたものであって、上記トレイの凸部が上記第３ローラに当接する状態において、当該凸部と当接しない位置に配置されたものである請求項１に記載の画像記録装置。
【請求項３】
上記第４ローラ及び上記第５ローラは、上記搬送路の搬送方向における上記記録部に対して、上記第１ローラ及び上記第２ローラとは反対側に配置されており、
上記記録部は、上記第４ローラ及び上記第５ローラが上記トレイを間欠的に搬送したときに、当該トレイに載置された第２被記録媒体に画像記録を行うものであり、
上記第３ローラは、駆動源から駆動伝達されないものである請求項２に記載の画像記録装置。
【請求項４】
上記第３ローラは、上記第１ローラと一体に形成されたものである請求項１又は２に記載の画像記録装置。
【請求項５】
上記第３ローラは、上記第１ローラの駆動軸と一体に形成されたものである請求項１又は２に記載の画像記録装置。
【請求項６】
上記トレイは、第２被記録媒体が載置される載置部を有しており、
上記凸部は、搬送方向と直交する幅方向において上記載置部より外側であって、上記第１面と反対側の第２面に設けられたものである請求項１から５のいずれかに記載の画像記録装置。
【発明の詳細な説明】
【技術分野】
【０００１】
本発明は、トレイをローラ対で挟持して搬送し、当該トレイに支持された被記録媒体に画像記録を行う画像記録装置に関する。
【背景技術】
【０００２】
薄板形状のトレイをローラ対で挟持して搬送する装置として、例えばプリンタ等の画像記録装置がある。画像記録装置においては、ＣＤやＤＶＤ等の厚みのある被記録媒体が専用のトレイにセットされる。当該トレイが画像記録装置内を搬送され、画像記録装置に設けられた画像記録部において被記録媒体に画像が記録される。
【０００３】
被記録媒体がセットされたトレイは、画像記録装置内に設けられた搬送ローラ及び従動ローラで構成されるローラ対に当接するように、ユーザによって挿入される。トレイの挿入後、搬送ローラが駆動され、トレイはローラ対によって挟持され画像記録装置内を搬送される（特許文献１）。
【先行技術文献】
【特許文献】
【０００４】
【特許文献１】特開２００７−１３６８０２号公報
【発明の概要】
【発明が解決しようとする課題】
【０００５】
トレイを挟持するローラ対が、記録用紙などを挟持して搬送するローラ対として兼用される場合、従動ローラは、記録用紙などの厚みとトレイの厚みとに対応できるように、駆動ローラに対して接離する方向へ移動可能に設けられている。また、従動ローラに用紙搬送用の拍車が使用されている場合は、トレイが搬送されるときにはトレイに接触しないように拍車がトレイの搬送経路から退避され、専らトレイを搬送する目的のみに設けられた従動ローラが、拍車に代わってトレイを挟持して搬送する機構もある。また、ローラ対のうち回転駆動される駆動ローラには、ゴムなどの弾性体であって記録用紙に対する摩擦係数が大きい素材が採用される。また、従動ローラは、ローラ対によって搬送に適した力で記録紙及びトレイを挟持できるように駆動ローラに対してバネなどにより付勢されている。記録紙及びトレイ共に搬送に適した力で挟持するために、このバネなどによる付勢力が、記録紙のみを搬送する装置に比べて強く設定される傾向にある。
【０００６】
ゴムなどで構成された駆動ローラにより記録用紙やトレイが搬送されると、従動ローラにより付勢された記録用紙やトレイが駆動ローラに当接して、ローラを構成するゴムなどが変形する。このような駆動ローラの変形は、記録用紙などと比較して剛性の高いトレイを搬送するときの方が、記録用紙を搬送するときより大きくなり、その結果、トレイの搬送精度に悪影響を与えるおそれがある。また、変形が繰り返されることにより、ゴムなどの弾性が劣化して、駆動ローラが恒久的に変形した状態となるおそれもある。
【０００７】
本発明は、前述された事情に鑑みてなされたものであり、その目的は、トレイを搬送することによるローラの変形を防止する手段を提供することにある。
【課題を解決するための手段】
【０００８】
本発明に係る画像記録装置は、シート状の第１被記録媒体が搬送される搬送路と、第１面側において第２被記録媒体が載置された状態で上記搬送路を通過可能な平板形状のトレイと、上記搬送路において上記トレイにおける第１面と反対側の第２面側に配置されており、駆動源から駆動伝達されて回転する第１ローラと、上記搬送路において上記トレイにおける第１面側に配置されており、上記第１ローラと接離する方向へ移動可能であって、上記第１ローラに接触する向きに付勢された第２ローラと、上記第１ローラと同軸に配置されており、上記第１ローラより小径の第３ローラと、上記搬送路において、上記第１被記録媒体又は上記トレイに載置された第２被記録媒体に画像記録を行う記録部と、を具備する。上記トレイは、第２面における上記第３ローラに対応する位置に、上記第１ローラの半径と上記第３ローラの半径との差より大きく第２面から突出する凸部が、当該トレイの搬送方向に沿って延出されたものである。
【０００９】
第１被記録媒体は、第１ローラと第２ローラとに挟持されて搬送路を搬送される。この第１被記録媒体は、搬送路において、画像記録部により画像記録が行われる。また、トレイは、第２被記録媒体が載置された状態で第３ローラと接触した状態で搬送される。具体的には、トレイの凸部は、第１ローラの半径と第３ローラの半径との差より大きく第２面から突出しており、第３ローラに対応する位置において搬送方向に沿って延出されているので、第１ローラと第２ローラとの間にトレイが進入すると、トレイの第２面側において凸部が第３ローラと接触し、第２面は第１ローラとは接触しない。
【００１０】
上記画像記録装置は、上記搬送路において上記トレイにおける第１面側に配置されており、駆動源から駆動伝達されて回転する第４ローラと、上記搬送路において上記トレイにおける第２面側に配置されており、上記第４ローラと接離する方向へ移動可能であって、上記第４ローラに接触する向きに付勢された第５ローラと、を更に有し、上記第５ローラは、軸線方向に複数が離間されて並列されたものであって、上記トレイの凸部が上記第３ローラに当接する状態において、当該凸部と当接しない位置に配置されたものである。
【００１１】
これにより、トレイが第４ローラと第５ローラとの間に進入しても、凸部が第５ローラと接触することがない。したがって、複数の各第５ローラと第４ローラとの距離が一定となり、第４ローラ及び第５ローラによりトレイが安定して挟持される。
【００１２】
上記第４ローラ及び上記第５ローラは、上記搬送路の搬送方向における上記記録部に対して、上記第１ローラ及び上記第２ローラとは反対側に配置されており、上記記録部は、上記第４ローラ及び上記第５ローラが上記トレイを間欠的に搬送したときに、当該トレイに載置された第２被記録媒体に画像記録を行うものであり、上記第３ローラは、駆動源から駆動伝達されないものであってもよい。
【００１３】
トレイが第４ローラ及び第５ローラのみによって搬送され、第３ローラはトレイの搬送精度に関与しないので、トレイを精度よく搬送することができ、第２被記録媒体への画像記録の高精度化が図られる。
【００１４】
上記第３ローラは、上記第１ローラと一体に形成されたものであってもよい。
【００１５】
上記第３ローラは、上記第１ローラの駆動軸と一体に形成されたものであってもよい。
【００１６】
上記トレイは、第２被記録媒体が載置される載置部を有しており、上記凸部は、搬送方向と直交する幅方向において上記載置部より外側であって、上記第１面と反対側の第２面に設けられたものであってもよい。
【００１７】
凸部が載置部より外側に設けられているので、載置部に第２面側が第３ローラと当接しない。これにより、載置部が湾曲して第２被記録媒体が載置部から浮き上がることが防止されるので、第２被記録媒体に対するヘッドギャップが一定に維持される。また、第２被記録媒体がローラや記録部と当接するおそれがない。
【発明の効果】
【００１８】
本発明によれば、第１被記録媒体は、第１ローラと第２ローラとに挟持されて搬送路を搬送され、トレイは、第３ローラと接触した状態であって第１ローラとは接触しない状態で搬送される。これにより、トレイが第１ローラを変形させることが防止される。
【図面の簡単な説明】
【００１９】
【図１】図１は、本発明の実施形態の一例である複合機１０を示す斜視図である。
【図２】図２は、プリンタ部１１の内部構造を模式的に示す縦断面図である。
【図３】図３は、メディアトレイ７１の上面７４側を示す斜視図である。
【図４】図４は、メディアトレイ７１の下面７７側を示す斜視図である。
【図５】図５は、搬送ローラ対５８、排出ローラ対５９、トレイ用ローラ６６，６７及びメディアトレイ７１を示す底面図である。
【図６】図６は、メディアトレイ７１の凸部７８がトレイ用ローラ６６に支持された状態を示す断面図である。
【図７】図７は、第１変形例における排出ローラ６２，６８，６９及びメディアトレイ７１を示す底面図である。
【図８】図８は、第２変形例における排出ローラ６２及びメディアトレイ７１を示す底面図である。
【発明を実施するための形態】
【００２０】
以下、適宜図面が参照されながら本発明の実施形態が説明される。なお、以下に説明される実施形態は本発明の一例にすぎず、本発明の要旨を変更しない範囲で、本発明の実施形態が適宜変更されてもよいことは言うまでもない。
【００２１】
［複合機１０］
図１に示されるように、複合機１０は、下部に配設されたプリンタ部１１と、その上部に配設されたスキャナ部１２と、を一体的に備えた多機能装置（MFD：Multi Function Device）である。複合機１０は、プリント機能、スキャン機能、コピー機能及びファクシミリ機能などを有する。なお、本実施形態においては、図１において、矢印１０１で示される方向が複合機１０の幅方向（左右方向）であり、矢印１０２で示される方向が複合機１０の高さ方向（上下方向）であり、矢印１０３で示される方向が複合機１０の奥行き方向（前後方向）である。なお、本発明を実現するうえで、スキャン機能やファクシミリ機能などは任意の機能であり、例えば、本発明に係る画像記録装置が、プリント機能のみを有するプリンタとして実現されてもよい。
【００２２】
複合機１０の上面の前方側であって、スキャナ部１２の正面側の上面には、プリンタ部１１やスキャナ部１２を操作するための操作パネル１３が設けられている。操作パネル１３は、各種操作ボタンや液晶ディスプレイ１４から構成されている。複合機１０は、操作パネル１３からの入力に基づいて、複合機１０の動作を統括する制御部（不図示）の指示に基づいて動作する。複合機１０がコンピュータに接続されている場合には、複合機１０は、コンピュータからプリンタドライバ又はスキャナドライバ等を介して送信される指示に基づいても動作する。
【００２３】
スキャナ部１２は、所謂フラットベッドスキャナとして構成されている。複合機１０の天板としての原稿カバー１５がスキャナ部１２の上部に開閉自在に設けられている。原稿カバー１５の下側に、図示されていないプラテンガラス及びイメージセンサが設けられている。プラテンガラスに載置された原稿の画像がイメージセンサによって読み取られる。なお、本発明が実現されるうえでスキャナ部１２は直接に関係しないので、ここでは、スキャナ部１２の詳細な説明が省略される。
【００２４】
図２に示されるように、プリンタ部１１は、記録用紙（第１被記録媒体の一例）を給送する給紙部２２と、記録用紙に画像を記録するインクジェット記録方式の記録部２４などを備えている。プリンタ部１１は、外部機器から受信した印刷データなどに基づいて、記録用紙に画像を記録する。また、複合機１０は、記録用紙よりも厚みがあるＣＤ−ＲＯＭやＤＶＤ−ＲＯＭなどの記録メディア（第２被記録媒体の一例）の盤面上に記録部２４によって画像を記録する機能を有する。
【００２５】
複合機１０は、搬送路６５を有する。搬送路６５は、給紙トレイ２０の背面側から上方且つ複合機１０の正面側へ曲がって、複合機１０の背面側から正面側に延出され、記録部２４の下側を通過して排紙トレイ２１へ通じている。記録用紙は、搬送路６５を搬送向き１０４へ搬送される。搬送路６５は、主として、所定間隔を隔てて互いに対向する外側ガイド部材１８及び内側ガイド部材１９によって区画されている。
【００２６】
給紙トレイ２０の上側には、給紙部２２が設けられている。給紙部２２は、給紙ローラ２５、給紙アーム２６及び駆動伝達機構２７を備えている。給紙ローラ２５は、給紙トレイ２０に接離可能に回動する給紙アーム２６の先端に軸支されている。給紙ローラ２５は、複数のギアが噛合されてなる駆動伝達機構２７によって、給紙用モータ（不図示）の駆動力が伝達されて回転する。給紙ローラ２５は、給紙トレイ２０上に積載された記録用紙のうち、最上位置にある記録用紙を搬送路６５へ供給する。
【００２７】
記録部２４は、複合機１０の背面側から正面側に延出される搬送路６５の上側に設けられている。記録部２４は、記録ヘッド３８を搭載して主走査方向（図２における紙面に垂直な方向；幅方向１０１）へ往復移動するキャリッジ４０を備えている。記録ヘッド３８には、インクカートリッジ（不図示）からインクが供給される。記録ヘッド３８は、ノズル３９からインクを微小なインク滴として吐出する。プラテン４２は、記録用紙を支持する。キャリッジ４０が主走査方向へ往復動することで、記録ヘッド３８がプラテン４２に支持された記録用紙に対して走査される。記録ヘッド３８が記録用紙に対して走査される間に、ノズル３９からインク滴が選択的に吐出され、そのインク滴が記録用紙に着弾することによって、記録用紙に所望の画像が記録される。
【００２８】
［搬送ローラ対５８及び排出ローラ対５９］
図２に示されるように、記録部２４より搬送向き１０４の上流側には、搬送ローラ６０（第４ローラの一例）及びピンチローラ１４１，１４２，１４３，１４４（第５ローラの一例）が配置されている。搬送ローラ６０は、搬送路６５の上側に配置されている。ピンチローラ１４１，１４２，１４３，１４４は搬送路６５の下側に配置されている。搬送ローラ６０とピンチローラ１４１，１４２，１４３，１４４とは、ほぼ高さ方向１０２に沿って対向配置されている。
【００２９】
各図には現れていないが、搬送ローラ６０は、搬送路６５の左右両端部に設けられたプリンタ部１１のフレーム（不図示）に回転可能に支持されている。図５に示されるように、搬送ローラ６０は、幅方向１０１を軸線方向とする１本の細長円柱形状のローラである。搬送ローラ６０の一方端にはギア（不図示）が設けられている。このギアへ、不図示の搬送モータから駆動伝達されることにより、ギアの回転に伴って搬送ローラ６０が回転する。搬送ローラ６０は、搬送モータの回転方向に従って、正逆の双方向へ回転可能である。
【００３０】
図５に示されるように、ピンチローラ１４１，１４２，１４３，１４４は、いずれもが幅方向１０１を軸線方向として配置されている。ピンチローラ１４１，１４２，１４３，１４４は、幅方向１０１に対して互いに離間されて並べられている。各ピンチローラ１４１〜１４４は、軸線方向の左右両端部が回転可能に、かつ高さ方向１０２へ移動可能に支持されている。したがって、各ピンチローラ１４１〜１４４は、搬送ローラ６０に接離する方向へ移動可能である。また、各ピンチローラ１４１〜１４４は、不図示のコイルバネによってそれぞれが搬送ローラ６０へ向かって付勢されている。各ピンチローラ１４１〜１４４は、後述されるメディアトレイ７１の凸部７８，７９と当接しない位置に配置されている。
【００３１】
図２に示されるように、記録部２４より搬送向き１０４の下流側には、排出ローラ６２（第１ローラの一例）及び拍車６３（第２ローラの一例）が配置されている。排出ローラ６２は、搬送路６５の下側に配置されている。図５に示されるように、排出ローラ６２は、回転軸６１に、その軸方向に複数が所定の間隔で配置されている。各排出ローラ６２は、同一径のゴム製のローラである。回転軸６１の一方端にはギア（不図示）が設けられている。このギアへ、不図示の搬送モータから駆動伝達されることにより、ギアの回転に伴って排出ローラ６２が回転する。排出ローラ６２の回転は、搬送ローラ６０の回転と同期されている。
【００３２】
拍車６３は搬送路６５の上側に配置されている。排出ローラ６２と拍車６３とは、ほぼ高さ方向１０２に沿って対向配置されている。したがって、複数の各排出ローラ６２に対して、複数の拍車６３がそれぞれ対向配置されている。図には現れていないが、拍車６３は、排出ローラ６２に対して接離する方向へ移動可能に支持されており、コイルバネなどによって排出ローラ６２側へ付勢されている。排出ローラ対５９は、記録用紙を狭持して排紙トレイ２１側へ搬送する。
【００３３】
なお、各図には示されていないが、後述されるメディアトレイ７１の挿入に際して、プラテン４２、排出ローラ６２、ピンチローラ１４１〜１４４が、メディアトレイ７１の厚みに応じて下方へ移動するように複合機１０が構成されている。
【００３４】
図５に示されるように、回転軸６１には、排出ローラ６２と共にトレイ用ローラ６６，６７が設けられている。トレイ用ローラ６６，６７は、排出ローラ６２より小径の樹脂製のローラである。トレイ用ローラ６６，６７の配置は、後述されるメディアトレイ７１の凸部７８，７９に対応している。
【００３５】
［メディアトレイ７１］
以下、メディアトレイ７１の構成が説明される。複合機１０は、記録メディアの盤面上に画像を記録する機能を有する。記録メディアの盤面上に画像が記録される場合、記録メディアはメディアトレイ７１に載置される。メディアトレイ７１はトレイガイド１７に載置されつつ、開口１６から搬送路６５に沿って、搬送向き１０４と逆向きである挿入向き１０５へ挿入される。
【００３６】
図３，４に示されるように、メディアトレイ７１は、概ね平板形状の外形である。メディアトレイ７１は、挿入向き１０５、つまり複合機１０に挿入される姿勢において奥行き方向１０３に沿った方向が長手方向１０６（長さ方向）であり、挿入向き１０５と直交する方向、つまり幅方向１０１に沿った方向が短手方向１０７（幅方向）である。短手方向１０７は、メディアトレイ７１が複合機１０に挿入された姿勢において、搬送ローラ６０の軸線方向と合致する。
【００３７】
メディアトレイ７１は、短手方向１０７の中央側に薄肉部７２を有し、短手方向１０７の両端部に厚肉部７３をそれぞれ有する。薄肉部７２と厚肉部７３とは、長手方向１０６及び短手方向１０７と直交する厚み方向１０８の肉厚が異なり、薄肉部７２は、厚肉部７３より肉厚が薄い。また、薄肉部７２及び厚肉部７３は、後述される載置部７５などが形成されている以外の箇所において、各々が一定の厚みである。
【００３８】
薄肉部７２は、メディアトレイ７１の短手方向１０７の中央側において、長手方向１０６に渡って拡がっている。薄肉部７２は、図３において上側を向いている上面７４（第１面）を有する。薄肉部７２には、上面７４から凹む載置部７５が形成されている。載置部７５は、記録メディアの形状より若干大きな円形状の凹みである。載置部７５の円形状の中心には、嵌合部７６が設けられている。嵌合部７６には、記録メディアの中心に形成された孔が嵌め込まれる。これにより、載置部７５に記録メディアが位置決めされて支持される。載置部７５の深さは、各種記録メディアの厚みを考慮して設定されており、載置部７５に支持された記録メディアの上面が、メディアトレイ７１の厚肉部７３より上側に突出することはない。
【００３９】
厚肉部７３は、メディアトレイ７１の短手方向１０７の両端側において、長手方向１０６に渡ってそれぞれ延出されている。各厚肉部７３は、薄肉部７２の上面７４より上側へ突出している。後述されるように、メディアトレイ７１が複合機１０に挿入されると、搬送ローラ対５８は厚肉部７３を挟持する。
【００４０】
図４に示されるように、メディアトレイ７１の下面７７（第２面）側には、下面７７から突出する２つの凸部７８，７９が設けられている。凸部７８，７９は、それぞれが長手方向１０６に沿って延出されている。凸部７８，７９は、短手方向１０７において薄肉部７２の両端付近に配置されている。各凸部７８，７９は、上面７４に形成されている載置部７５に対応する位置より短手方向１０７の外側に位置する。また、短手方向１０７における各凸部７８，７９の配置は、メディアトレイ７１が複合機１０に挿入されたときに、前述されたトレイ用ローラ６６，６７にそれぞれが対応する位置であって、搬送ローラ対５８のピンチローラ１４１〜１４４のいずれにも当接しない位置である。
【００４１】
凸部７８，７９が下面７７から突出する寸法Ｄ１は、排出ローラ６２の半径Ｒ１とトレイ用ローラ６６，６７の半径Ｒ２との差より大きい（寸法Ｄ１＞半径Ｒ１−半径Ｒ２）。したがって、図６に示されるように、凸部７８，７９がトレイ用ローラ６６，６７と当接する状態において、排出ローラ６２はメディアトレイ７１の下面７７と当接しない。
【００４２】
［記録用紙への画像記録］
以下、複合機１０により記録用紙に画像が記録される手順が説明される。図２に示されるように、ユーザによって、複合機１０の給紙トレイ２０に記録用紙が装填される。記録用紙への画像記録指示が操作パネル１３へ入力されると、又は外部機器からの指示を受け付けると、複合機１０は、給紙ローラ２５を回転させる。給紙ローラ２５が回転駆動されると、給紙トレイ２０に装填された記録用紙のうち、最上位置の記録用紙が搬送路６５へ給送される。
【００４３】
給送された記録用紙の先端が搬送ローラ対５８へ到達すると、複合機１０は、記録用紙を搬送向き１０４へ搬送する回転方向に搬送ローラ６０及び排出ローラ６２を回転する。これにより、記録用紙は搬送ローラ対５８に挟持された状態でプラテン４２上に搬送される。記録用紙が記録ヘッド３８の直下まで搬送されると、搬送ローラ６０及び排出ローラ６２は、回転が一時停止される。搬送ローラ６０及び排出ローラ６２の回転が一時停止されている間に、記録ヘッド３８を搭載したキャリッジ４０が幅方向１０１へ移動される。つまり、記録ヘッド３８が記録用紙に対して走査される。この走査の間に、記録ヘッド３８から微小なインク滴が選択的に記録用紙に吐出される。吐出されたインク滴が記録用紙に着弾する。キャリッジ４０の移動が終了すると、所定の搬送距離分だけ、搬送ローラ６０及び排出ローラ６２が回転されて再び停止される。つまり、搬送ローラ６０及び排出ローラ６２は一時停止を介して間欠して回転駆動される。そして、搬送ローラ６０が一時停止されている間に、前述と同様にしてキャリッジが移動され、その移動の間に記録ヘッド３８からインク滴が選択的に吐出されて記録用紙に着弾する。これが繰り返されることにより、記録用紙に所望の画像が記録される。
【００４４】
搬送ローラ６０及び排出ローラ６２が間欠して駆動されている間に、記録用紙の先端は排出ローラ対５９へ到達する。画像記録されている記録用紙の先端が排出ローラ対５９へ到達すると、記録用紙は排出ローラ対５９にも挟持された状態となる。排出ローラ６２においては、搬送路６５において記録ヘッド３８と同じ側、つまり上側に拍車６３が配置されているので、記録用紙において画像が記録された面には拍車６３の先端のみが点状に接触する。また、記録用紙において画像が記録された面と反対側の面には、排出ローラ６２のみが接触し、トレイ用ローラ６６，６７は接触しない。つまり、記録用紙は、排出ローラ６２及び拍車６３に挟持された状態で搬送される。記録用紙に所望の画像が記録されると、搬送ローラ６０及び排出ローラ６２が連続して回転されて、記録用紙が排紙トレイ２１へ排出される。
【００４５】
［記録メディアへの画像記録］
以下、複合機１０にメディアトレイ７１が挿入され、メディアトレイ７１に載置された記録メディアに画像が記録される手順が説明される。図１に示されるように、ユーザによって、複合機１０の正面側の開口１６においてトレイガイド１７が引き出される。これに伴って、プラテン４２、排出ローラ６２、ピンチローラ１４１〜１４４が、メディアトレイ７１の厚みに応じて下方へ移動する。したがって、排出ローラ６２と拍車６３との間には、メディアトレイ７１を挿入するに十分な空間が生じる。ユーザは、記録メディアをメディアトレイ７１の載置部７５に載置して、そのメディアトレイ７１をトレイガイド１７に載せながら挿入向き１０５へ挿入する。開口１６から搬送路６５へ挿入されたメディアトレイ７１は、その挿入側の先端が、排出ローラ対５９を通過して搬送ローラ６０へ到達する。これにより、メディアトレイ７１の挿入が完了する。
【００４６】
図５，６に示されるように、複合機１０に挿入されたメディアトレイ７１は、その下面７７側において、凸部７８，７９がトレイ用ローラ６６，６７にそれぞれ接触する。また、メディアトレイ７１の凸部７８，７９は、排出ローラ６２の半径Ｒ１とトレイ用ローラ６６，６７の半径Ｒ２との差より大きい寸法Ｄ１だけ下面７７から突出しているので、メディアトレイ７１の下面７７側において凸部７８，７９がトレイ用ローラ６６，６７と接触すると、下面７７は排出ローラ６２とは接触しない。また、凸部７８，７９は載置部７５より外側に設けられているので、載置部７５と反対側となる下面７７において載置部７５の裏側にトレイ用ローラ６６，６７が当接しない。
【００４７】
記録メディアへの画像記録指示が操作パネル１３へ入力されると、又は外部機器からの指示を受け付けると、複合機１０は、搬送ローラ６０を、メディアトレイ７１が挿入向き１０５へ更に搬送されるように回転させる。つまり、搬送ローラ６０は、搬送向き１０４への搬送とは逆方向に回転駆動される。なお、トレイ用ローラ６６，６７の回転軸６１には駆動伝達がされないので、トレイ用ローラ６６，６７は、コロとして回転自在である。
【００４８】
搬送ローラ６０が回転駆動されると、メディアトレイ７１の先端が搬送ローラ対５８の間に挟み込まれる。図５に示されるように、ピンチローラ１４１〜１４４は、メディアトレイ７１の凸部７８，７９と当接しない位置に配置されているので、メディアトレイ７１が搬送ローラ対５８の間に進入しても、凸部７８，７９がピンチローラ１４１〜１４４と接触することがない。
【００４９】
メディアトレイ７１の先端が搬送ローラ対５８へ進入すると、各ピンチローラ１４１〜１４４は、コイルバネの付勢力に抗して、下側へ、つまり搬送ローラ６０から離れる向きへ移動する。そして、搬送ローラ対５８は、メディアトレイ７１を挟持した状態で、搬送ローラ６０の回転により、メディアトレイ７１を所定の位置まで、挿入向き１０５へ搬送する。この所定の位置は、メディアトレイ７１の載置部７５が、記録ヘッド３８の下方より装置背面側となる位置である。これにより、載置部７５に載置された記録メディアは、記録ヘッド３８より装置背面側まで挿入される。
【００５０】
搬送ローラ対５８によってメディアトレイ７１が所定の位置まで挿入向き１０５へ挿入されると、搬送ローラ６０の回転方向が逆転から正転に切り換えられる。これにより、メディアトレイ７１が搬送向き１０４に搬送される。メディアトレイ７１に載置された記録メディアが記録ヘッド３８の直下まで搬送されると、搬送ローラ６０は、回転が一時停止される。搬送ローラ６０の回転が一時停止されている間に、記録ヘッド３８を搭載したキャリッジ４０が幅方向１０１へ移動される。つまり、記録ヘッド３８が記録メディアに対して走査される。この走査の間に、記録ヘッド３８から微小なインク滴が選択的に記録メディアに吐出される。吐出されたインク滴が記録メディアの盤面に着弾する。キャリッジ４０の移動が終了すると、所定の搬送距離分だけ、搬送ローラ６０が回転されて再び停止される。つまり、搬送ローラ６０は一時停止を介して間欠して回転駆動される。そして、搬送ローラ６０が一時停止されている間に、前述と同様にしてキャリッジが移動され、その移動の間に記録ヘッド３８からインク滴が選択的に吐出されて記録メディアの盤面に着弾する。これが繰り返されることにより、記録メディアに所望の画像が記録される。記録メディアに所望の画像が記録されると、搬送ローラ６０が連続して回転されて、メディアトレイ７１が装置正面側に突出するようにして排出される。
【００５１】
［本実施形態の効果］
前述されたように、記録用紙は、排出ローラ６２及び拍車６３に挟持されて搬送路６５を搬送され、メディアトレイ７１は、トレイ用ローラ６６，６７と接触した状態であって排出ローラ６２とは接触しない状態で搬送される。これにより、メディアトレイ７１が排出ローラ６２を変形させることが防止される。
【００５２】
また、ピンチローラ１４１〜１４４は、メディアトレイ７１の凸部７８，７９と当接しない位置に配置されているので、メディアトレイ７１が搬送ローラ６０とピンチローラ１４１〜１４４との間に進入して挟持されたときに、搬送ローラ６０と複数の各ピンチローラ１４１〜１４４との距離が一定となり、搬送ローラ６０及びピンチローラ１４１〜１４４によりメディアトレイ７１が安定して挟持される。
【００５３】
また、メディアトレイ７１が搬送ローラ６０及びピンチローラ１４１〜１４４のみによって搬送され、トレイ用ローラ６６，６７はメディアトレイ７１の搬送精度に関与しないので、メディアトレイ７１を精度よく搬送することができ、記録メディアへの画像記録の高精度化が図られる。
【００５４】
また、メディアトレイ７１の凸部７８，７９が載置部７５より短手方向１０７の外側に設けられているので、載置部７５の下面７７側がトレイ用ローラ６６，６７と当接しない。これにより、載置部７５が湾曲して記録メディアが載置部７５から浮き上がることが防止されるので、記録メディアの盤面に対するヘッドギャップが一定に維持される。また、記録メディアが搬送ローラ６０や記録ヘッド３８と当接するおそれがない。
【００５５】
なお、本実施形態においては、トレイ用ローラ６６，６７の回転軸６１には駆動伝達がされず、トレイ用ローラ６６，６７がコロとして回転自在なものとしたが、トレイ用ローラ６６，６７が、搬送ローラ６０と同期して回転駆動されてもよい。
【００５６】
［第１変形例］
前述された実施形態においては、回転軸６１に、トレイ用ローラ６６，６７が排出ローラ６２とは別個独立して設けられているが、この第１変形例のように、トレイ用ローラが排出ローラと一体に形成されていてもよい。
【００５７】
図７に示されるように、回転軸６１には、排出ローラ６２が複数設けられており、メディアトレイ７１の凸部７８，７９に対応する位置の排出ローラ６８，６９は、他の排出ローラ６２より軸方向の寸法が幅広に形成されている。この排出ローラ６８，６９は、ゴム製のローラである。排出ローラ６８，６９における軸方向の中央には、軸方向の外側より小径となった凹溝部５６、５７が形成されている。この凹溝部５６，５７が、トレイ用ローラを構成する。したがって、凹溝部５６，５７の軸方向の幅は、メディアトレイ７１の凸部７８，７９より幅広である。また、凹溝部５６，５７の半径は、前述された実施形態のトレイ用ローラ６６，６７の半径Ｒ２と同じである。
【００５８】
このように構成された排出ローラ６２，６８，６９によって、記録用紙は、排出ローラ６２、６８，６９及び拍車６３に挟持されて搬送路６５を搬送され、メディアトレイ７１は、排出ローラ６８，６９の凹溝部５６，５７と接触した状態であって、排出ローラ６８，６９の凹溝部５６，５７以外のローラ面や排出ローラ６２とは接触しない状態で搬送される。これにより、メディアトレイ７１が排出ローラ６２，６８，６９を変形させることが防止される。
【００５９】
［第２変形例］
前述された実施形態においては、回転軸６１に、トレイ用ローラ６６，６７が排出ローラ６２とは別個独立して設けられているが、この第２変形例のように、トレイ用ローラが回転軸６１として形成されていてもよい。
【００６０】
図８に示されるように、回転軸６１には、排出ローラ６２が複数設けられており、メディアトレイ７１の凸部７８，７９に対応する位置には排出ローラ６２は設けられていない。つまり、凸部７８，７９に対応する位置の回転軸６１が、トレイ用ローラを構成する。一方、メディアトレイ７１の凸部７８，７９は、排出ローラ６２の半径Ｒ１と回転軸６１の半径Ｒ３の差より大きな寸法Ｄ２だけ下面７７から突出している。
【００６１】
このように構成された排出ローラ６２によって、記録用紙は、排出ローラ６２及び拍車６３に挟持されて搬送路６５を搬送され、メディアトレイ７１は、回転軸６１と接触した状態であって、排出ローラ６２とは接触しない状態で搬送される。これにより、メディアトレイ７１が排出ローラ６２を変形させることが防止される。
【符号の説明】
【００６２】
１０・・・複合機（画像記録装置）
２４・・・記録部
６０・・・搬送ローラ（第４ローラ）
６２・・・排出ローラ（第１ローラ）
６３・・・拍車（第２ローラ）
６５・・・搬送路
６６，６７・・・トレイ用ローラ（第３ローラ）
７１・・・メディアトレイ
７４・・・上面（第１面）
７５・・・載置部
７７・・・下面（第２面）
７８，７９・・・凸部
１４１〜１４４・・・ピンチローラ（第５ローラ）
【図１】
2012066406.tif 000003
【図２】
2012066406.tif 000004
【図３】
2012066406.tif 000005
【図４】
2012066406.tif 000006
【図５】
2012066406.tif 000007
【図６】
2012066406.tif 000008
【図７】
2012066406.tif 000009
【図８】
2012066406.tif 000010